(57)【要約】      （修正有）【課題】多数枚のスライドパネルに、パズル的な要素を持たせることで、アトランダムで、不規則な表面上のデザイン変化や、遊戯興趣を発揮することのできるパズルボックスを提供する。【解決手段】パズルボックス２１は、格子状に区画形成した箱枠開口部に空間部３９を残してスライドパネル１が嵌め込まれる。空間部３９に隣り合うスライドパネル１を上下左右方向に摺動することで、箱枠内部の収容物を適宜取り出せる。スライドパネル１には、表パネルと裏パネルとの間に挟着したコアプレートの上側縁部と縁側縁部に係合鍔部が形成され、コアプレートの他側縁部と下側縁部に被係合溝部６ａが凹設される。【選択図】          図８
2004329256.tif 000002
【特許請求の範囲】
【請求項１】
表パネル２と裏パネル３との間にコアプレート４ａ、４ｂを挟着し、当該コアプレート４ａ、４ｂの上縁部と一方の側縁部に係合鍔部５ａ、５ｂを形成し、コアプレート４ａ、４ｂの他方の側縁部と下縁部に被係合溝部６ａ、６ｂを凹設し、前記コアプレート４ａ、４ｂの中間位置に形成した開口部８には、その左右両側位置の連通路９ａ、９ｃから出没自在に付勢したスライドレバー７とロックピース１３を設けたことを特徴とするスライドパネル。
【請求項２】
前記スライドレバー７のレバー本体部７ａを、上下に対向させたコアプレート４ａ、４ｂの中間位置に形成した開口部８に嵌め込み、レバー本体部７ａの中央左側位置から左方向へ突設したレバー突部７ｂを、前記開口部８の中央左側位置で、コアプレート４ａ、４ｂの左側位置に上下に向かい合わせて形成した連通路９ａに横摺動自在に嵌め込み、当該スライドレバー７のレバー突部７ｂを前記連通路９ａから出没自在に付勢支持してなる、請求項１記載のスライドパネル。
【請求項３】
前記ロックピース１３のピース本体部１３ａを、スライドレバー７の右側寄りの位置に形成した開口部１４に嵌め込み、前記ピース本体部１３ａの中央右側位置から右方向へ突設したピース突部１３ｂを、コアプレート４ａ、４ｂの右側中央位置で前記開口部８の上下に向かい合わせて形成した連通路９ｂ、９ｃに摺動自在に嵌め込み、当該ロックピース１３のピース突部１３ｂを前記連通路９ｂ、９ｃから出没自在に付勢支持してなる、請求項１又は２記載のスライドパネル。
【請求項４】
前記スライドレバー７のほぼ中心付近に操作孔１８を開口形成し、表裏パネル２、３のほぼ中央付近に夫々円形状に開口した挿通孔１９、２０を開口形成し、当該挿通孔１９、２０の孔中心に対して前記操作孔１８の孔中心がスライドレバー７のストローク程度の長さだけズレた状態に構成してなる、請求項１２又は３記載のスライドパネル。
【請求項５】
請求項１〜４のいずれか一項記載のスライドパネル１の多数枚を、格子状に区画形成した箱枠開口部に嵌め込み、直交する２方向へ摺動自在に設けたことを特徴とするパズルボックス。
【請求項６】
前記箱枠を、天板２２と底板２３と左右の側板２４、２５とから矩形枠状に形成し、当該箱枠の内部を棚板２６〜２８と仕切板２９〜３１により格子状に区画形成し、前記箱枠の正面又は背面に前記スライドパネル１を嵌め込むための前記箱枠開口部を設けてなる、請求項５記載のパズルボックス。
【請求項７】
前記天板２２の下面と一方の側板２４の内面に被係合溝２２ａ、２４ａを凹設し、その内、一方の側板２４内面の被係合溝２２ａには出没自在に付勢支持したロックボタン３３を嵌め込み、
前記底板２３の上面と他方の側板２５内面にはガイドレール３２、３６を突設すると共に、その内、一方の側板２５内面のガイドレール３６に被係合凹部３７を形成し、
前記スライドパネル１の多数枚を、前記被係合溝２２ａ、２４ａと前記ガイドレール３２、３６とに摺動自在に嵌め込む、請求項６記載のパズルボックス。
【請求項８】
前記箱枠を、平面矩形枠状態にフレーム構成した上部横桁４２〜４５と、平面矩形枠状態にフレーム構成した下部横桁４６〜４９と、上下部の両横桁４２〜４５、４６〜４９の間の四隅部に立ち上げた支柱５０〜５３とにより立方体状または直方体状に形成し、
当該箱枠の内部を棚板５５、５６と仕切板５７〜６０とにより格子状のマス目を有する多数の棚室６１に区画形成し、
前記箱枠の正面、背面、左右両側面及び上面のいずれか１面又は２面以上に、前記スライドパネル１を嵌め込むための前記箱枠開口部を設けてなる、請求項５記載のパズルボックス。
【請求項９】
前記箱枠正面の上部横桁４２の下面と前記箱枠正面の左側支柱５０の内側面、
前記箱枠背面の上部横桁４３の下面と前記箱枠背面の右側支柱５３の内側面、
前記箱枠左側面の上部横桁４４の下面と前記箱枠背面の左側支柱５２の内側面、
前記箱枠右側面の上部横桁４５の下面と前記箱枠正面の右側支柱５１の背面、
前記箱枠背面の上部横桁４３の前面と前記箱枠左側面の上部横桁４４の内側面のいずれか１面又は２面以上に、被係合溝４２ａ、５０ａ、４３ａ、５３ａ、４４ａ、５２ａ、４５ａ、５１ａ、４３ｂ、４４ｂをそれぞれ凹設し、その内、一方の被係合溝５０ａ、５３ａ、５２ａ、５１ａ、４４ｂの上下又は前後に間隔を隔てた位置には、それぞれ出没自在に付勢したロックボタン３３を嵌め込み、かつ、
前記箱枠正面の下部横桁４６の上面と前記箱枠正面の右側支柱５１の内側面、
前記箱枠背面の下部横桁４７の上面と前記箱枠背面の左側支柱５２の内側面、
前記箱枠左側面の下部横桁４８の上面と前記箱枠左側面の左側支柱５０の背面、  前記箱枠右側面の下部横桁４９の上面と前記箱枠背面の右側支柱５３の前面、
前記箱枠正面の上部横桁４２の背面と前記箱枠右側面の上部横桁４５の内側面のいずれか１面又は２面以上に、ガイドレール６２〜７１をそれぞれ突設し、その内、一方のガイドレール６３、６５、６７、６９、７１の内側面には、上下又は前後に間隔を隔てた位置に被係合凹部６３ａ、６５ａ、６７ａ、６９ａ、７１ａを形成し、
前記スライドパネル１の多数枚を、前記被係合溝４２ａ、５０ａ、４３ａ、５３ａ、４４ａ、５２ａ、４５ａ、５１ａ、４３ｂ、４４ｂとガイドレール６２〜７１とに摺動自在に嵌め込む、請求項８記載のパズルボックス。
【発明の詳細な説明】
【０００１】
【発明の属する利用分野】
本発明は、飾り棚、整理棚、本棚、その他の収納家具類や、玩具類の整理箱等の箱枠開口部に嵌め込まれるスライドパネルと、それを組み込んでなるパズルボックスに関する。
【０００２】
【従来の技術】
従来より、飾り棚、整理棚、本棚、その他の収納家具類は、観音開き戸、片開き戸、両引き戸、片引き戸等の扉構造により開閉自在に構成され、使い勝手が良いとの機能的な観点や、デザイン的な観点からの工夫が施されている。
【０００３】
【特許文献１】
特開平９−２７１５８５号公報
【０００４】
【発明が解決しようとする課題】
その為、引き戸の開閉操作が画一的で、旧態依然となっており、開閉する上での興趣に欠け、また、引き戸の表面の色合いや模様等が当初のままであり、アトランダムで、不規則な表面上のデザイン変化や遊戯性を楽しむといった要素のないものとなっている。
【０００５】
そこで、本発明では、箱枠開口部に嵌め込まれ、直交する２方向へ摺動自在としながら、下方が空間部であっても、下方への滑落を防止し、適宜の高さ位置で安定的に支持することのできるスライドパネルと、箱枠開口部に格子状に嵌め込まれた多数枚のスライドパネルに、パズル的な要素を持たせることで、アトランダムで、不規則な表面上のデザイン変化や、遊戯興趣を発揮することのできるパズルボックスを案出したのである。
なお、本発明に関連する先行技術としては、特許文献１が開示されている。
【０００６】
【課題を解決するための手段】
前記課題を解決するための本発明（第１発明）によるスライドパネルは、表パネル２と裏パネル３との間にコアプレート４ａ、４ｂを挟着し、当該コアプレート４ａ、４ｂの上縁部と一方の側縁部に係合鍔部５ａ、５ｂを形成し、コアプレート４ａ、４ｂの他方の側縁部と下縁部に被係合溝部６ａ、６ｂを凹設し、前記コアプレート４ａ、４ｂの中間位置に形成した開口部８には、その左右両側位置の連通路９ａ、９ｃから出没自在に付勢したスライドレバー７とロックピース１３を設けたことを特徴としている。
本発明（第１発明）によるスライドパネルによれば、直交する２方向へ摺動するスライドパネルでありながら、その下方が空間部であっても、下方への滑落を防止し、適宜の高さ位置で安定的に支持される。
【０００７】
本発明（第１発明）によるスライドパネルの具体的な構成としては、前記スライドレバー７のレバー本体部７ａを、上下に対向させたコアプレート４ａ、４ｂの中間位置に形成した開口部８に嵌め込み、レバー本体部７ａの中央左側位置から左方向へ突設したレバー突部７ｂを、前記開口部８の中央左側位置で、コアプレート４ａ、４ｂの左側位置に上下に向かい合わせて形成した連通路９ａに横摺動自在に嵌め込み、当該スライドレバー７のレバー突部７ｂを前記連通路９ａから出没自在に付勢支持するとよい。
【０００８】
また、本発明（第１発明）によるスライドパネルは、前記ロックピース１３のピース本体部１３ａを、スライドレバー７の右側寄りの位置に形成した開口部１４に嵌め込み、前記ピース本体部１３ａの中央右側位置から右方向へ突設したピース突部１３ｂを、連通路９ｂを介してコアプレート４ａ、４ｂの右側中央位置で前記開口部８の上下に向かい合わせて形成した連通路９ｃに摺動自在に嵌め込み、当該ロックピース１３のピース突部１３ｂを前記連通路９ｂ、９ｃから出没自在に付勢支持するとよい。
【０００９】
また、本発明（第１発明）によるスライドパネルは、前記スライドレバー７のほぼ中心付近に操作孔１８を開口形成し、表裏パネル２、３のほぼ中央付近に夫々円形状に開口した挿通孔１９、２０を開口形成し、当該挿通孔１９、２０の孔中心に対して前記操作孔１８の孔中心が、スライドレバー７のストローク程度の長さだけズレた状態に構成するとよい。
【００１０】
前記課題を解決するための本発明（第２発明）によるパズルボックスは、本発明（第１発明）によるスライドパネル１の多数枚を、格子状に区画形成した箱枠開口部に嵌め込み、直交する２方向へ摺動自在に設けたことを特徴としている。
本発明（第２発明）によるパズルボックスによれば、アトランダムで、不規則な表面上のデザイン変化や、遊戯興趣を発揮することのできるパズルボックスが得られる。
【００１１】
本発明（第２発明）によるパズルボックスの具体的な構成としては、前記箱枠を、天板２２と底板２３と左右の側板２４、２５とから矩形枠状に形成し、当該箱枠の内部を棚板２６〜２８と仕切板２９〜３１により格子状に区画形成し、前記箱枠の正面又は背面に本発明（第１発明）によるスライドパネルを嵌め込むための前記箱枠開口部を設けるとよい。
【００１２】
また、本発明（第２発明）によるパズルボックスは、前記天板２２の下面と一方の側板２４の内面に被係合溝２２ａ、２４ａを凹設し、その内、一方の側板２４内面の被係合溝２２ａには出没自在に付勢支持したロックボタン３３を嵌め込み、
前記底板２３の上面と他方の側板２５内面にはガイドレール３２、３６を突設すると共に、その内、一方の側板２５内面のガイドレール３６に被係合凹部３７を形成し、
本発明（第２発明）によるスライドパネル１の多数枚を、前記被係合溝２２ａ、２４ａと前記ガイドレール３２、３６とに摺動自在に嵌め込むようにするとよい。
【００１３】
さらに、本発明（第３発明）によるパズルボックスは、前記箱枠を、平面矩形枠状態にフレーム構成した上部横桁４２〜４５と、平面矩形枠状態にフレーム構成した下部横桁４６〜４９と、上下部の両横桁４２〜４５、４６〜４９の間の四隅部に立ち上げた支柱５０〜５３とにより立方体状または直方体状に形成し、
当該箱枠の内部を棚板５５、５６と仕切板５７〜６０とにより格子状のマス目を有する多数の棚室６１に区画形成し、
前記箱枠の正面、背面、左右両側面及び上面のいずれか１面又は２面以上に、本発明（第１発明）によるスライドパネルを嵌め込むための前記箱枠開口部を設けるとよい。
【００１４】
さらに、本発明（第３発明）によるパズルボックスは、
前記箱枠正面の上部横桁４２の下面と前記箱枠正面の左側支柱５０の内側面、
前記箱枠背面の上部横桁４３の下面と前記箱枠背面の右側支柱５３の内側面、
前記箱枠左側面の上部横桁４４の下面と前記箱枠背面の左側支柱５２の内側面、
前記箱枠右側面の上部横桁４５の下面と前記箱枠正面の右側支柱５１の背面、
前記箱枠背面の上部横桁４３の前面と前記箱枠左側面の上部横桁４４の内側面のいずれか１面又は２面以上に、被係合溝４２ａ、５０ａ、４３ａ、５３ａ、４４ａ、５２ａ、４５ａ、５１ａ、４３ｂ、４４ｂをそれぞれ凹設し、その内、一方の被係合溝５０ａ、５３ａ、５２ａ、５１ａ、４４ｂの上下又は前後に間隔を隔てた位置には、それぞれ出没自在に付勢したロックボタン３３を嵌め込み、かつ、
前記箱枠正面の下部横桁４６の上面と前記箱枠正面の右側支柱５１の内側面、
前記箱枠背面の下部横桁４７の上面と前記箱枠背面の左側支柱５２の内側面、
前記箱枠左側面の下部横桁４８の上面と前記箱枠左側面の左側支柱５０の背面、  前記箱枠右側面の下部横桁４９の上面と前記箱枠背面の右側支柱５３の前面、
前記箱枠正面の上部横桁４２の背面と前記箱枠右側面の上部横桁４５の内側面のいずれか１面又は２面以上に、ガイドレール６２〜７１をそれぞれ突設し、その内、一方のガイドレール６３、６５、６７、６９、７１の内側面には、上下又は前後に間隔を隔てた位置に被係合凹部６３ａ、６５ａ、６７ａ、６９ａ、７１ａを形成し、
本発明（第１発明）によるスライドパネル１の多数枚を、前記被係合溝４２ａ、５０ａ、４３ａ、５３ａ、４４ａ、５２ａ、４５ａ、５１ａ、４３ｂ、４４ｂとガイドレール６２〜７１とに摺動自在に嵌め込むようにするとよい。
【００１５】
なお、第１発明、第２発明及び第３発明において、スライドパネル及びパズルボックスの前後左右の関係は、これらの機能を実現可能な範囲で自在に変更してもよい。
【００１６】
【発明の実施の形態】
以下、本発明に係るスライドパネル１の構成を、図１〜図４に示すように、当該スライドパネル１を鉛直に立てた状態に基づいて説明する。
【００１７】
スライドパネル１は、正四角形の表パネル２と裏パネル３との間に、上下一対のコアプレート４ａ、４ｂを挟着支持し、当該コアプレート４ａ、４ｂの上縁部と左側縁部を、図２と図３に示すように、表裏パネル２、３の上縁部と左側縁部からそれぞれ外側へ適宜に張り出すことにより、係合鍔部５ａ、５ｂを張り出し形成している。
また、コアプレート４ａ、４ｂの右側縁部と下縁部を、表裏パネル２、３の右側縁部と下縁部から内側へ適宜に引き下げることにより、被係合溝部６ａ、６ｂを凹設している。
【００１８】
７は、コアプレート４ａ、４ｂの内部に嵌め込んだスライドレバーである。横長矩形状のレバー本体部７ａは、上下に対向させたコアプレート４ａ、４ｂの中間位置に形成した横長矩形状の開口部８に嵌め込まれる。また、レバー本体部７ａの中央左側位置から左方向へ突設したレバー突部７ｂは、コアプレート４ａ、４ｂの左側位置（開口部８の中央左側位置）に上下に向かい合わせて形成した連通路９ａに横摺動自在に嵌め込まれる。
１０ａ及び１０ｂは、スライドレバー７を付勢するコイルスプリングであって、その左右両端部は、レバー本体部７ａの左側上下位置と開口部８の左側縁位置とに穿設した穴部１１ａ、１１ｂ、１２ａ、１２ｂ（切欠き凹部でも可）に嵌め込まれてその両端が固定される（図２参照）。これにより、スライドレバー７が開口部８の右側方向へ付勢されている。
【００１９】
１３は、ロックピースであって、その縦長矩形状のピース本体部１３ａがスライドレバー７の右側寄りの位置に形成した縦長矩形状の開口部１４（図１参照）に嵌め込まれる。また、ピース本体部１３ａの中央右側位置から右方向へ突設したピース突部１３ｂは、スライドレバー７の右側中間位置に形成した連通路９ｂと、コアプレート４ａ、４ｂの右側位置（開口部８の右側中央位置）に上下に向かい合わせて形成した連通路９ｃとに摺動自在に嵌め込まれている。
１５は、ロックピース１３を付勢するコイルスプリングであって、その左右両端部がピース本体部１３ａの左側中央位置と開口部１４の左側縁位置とに穿設した穴部１６、１７（切欠き凹部でも可）に嵌め込まれる。これにより、ロックピース１３が連通路９ｂ、９ｃの右側方向へ横摺動自在に付勢されている。
【００２０】
１８は、スライドレバー７のほぼ中心付近に開口形成した円形状の操作孔であり、１９及び２０は表裏パネル２、３のほぼ中央付近に夫々円形状に開口した挿通孔である（図１参照）。通常の状態では、挿通孔１９、２０の孔中心に対して操作孔１８の孔中心が、スライドレバー７のストローク程度の長さだけズレた状態に組み込まれている（図２参照）。このとき、レバー突部７ｂの先端は、コアプレート４ａ、４ｂの内側に凹み、ピース突部１３ｂの先端がコアプレート４ａ、４ｂの外側に突出する。
図２の状態からスライドレバー７を左方向へ移動させると、図４に示すように、レバー突部７ｂ及びピース突部１３ｂの先端がコアプレート４ａ、４ｂの左端及び右端に一致する。
【００２１】
次に、スライドパネル１を組み込む第１実施形態の収納ボックス２１を、図６〜図９に従って説明する。
【００２２】
ボックス本体２１は、上部の天板２２と下部の底板２３と左右の側板２４、２５を正四角形の箱枠状態に組み立て、当該箱枠内部を上下に４等分する３枚の棚板２６〜２８を左右幅方向に掛け渡すと共に、各棚板２６〜２８の上部と底板２３の上部を、それぞれ左右方向に４等分する３枚の仕切板２９〜３１により間仕切り、これによりボックス本体２１の内部を格子状に区画形成している。
【００２３】
図７において、２２ａ及び２２ｂは、天板２２下面の前後端位置に左右方向に凹設した被係合溝である。２３ａ及び２３ｂは、底板２３上面の前後端位置に左右方向に凹設した被係合溝である。その内、前端位置の被係合溝２３ａには、帯板状のガイドレール３２が嵌め込んで突設されている。
【００２４】
２４ａ及び２４ｂは、左側板２４の内側面の前後端位置に上下方向に凹設した被係合溝である。その内、前端位置の被係合溝２４ａの上下に間隔を隔てた４箇所に、出没自在に付勢したロックボタン３３が嵌め込まれている（図９参照）。
３４は、ロックボタン３３を付勢支持するコイルスプリングである。当該コイルスプリング３４を含むロックボタン３３は、棚板２６〜２８で仕切られる棚室６１（図６参照）をそれぞれ上下に等分する中間位置に穿設した穴部３５に嵌め込まれ、スプリングケース３４ａに収納される（図１及び図２参照）。これにより図２に示すように、ロックボタン３３の頭部が、被係合溝２４ａの深さの範囲で出没自在になっている。
【００２５】
２５ａ及び２５ｂは、右側板２５の内側面の前後端位置に上下方向に凹設した被係合溝である。その内、前端位置の被係合溝２５ａには、帯板状のガイドレール３６を嵌め込んで突設している。
３７は、ガイドレール３６の内側位置に上下に間隔を隔てた４箇所に凹設した被係合凹部である。具体的には、被係合凹部３７は、図９に示すように、棚板２６〜２８で仕切られる棚室６１をそれぞれ上下に等分する中間位置に形成されている（図９参照）。これらの係合凹部３７には、スライドパネル１のピース突部１３ｂが嵌合可能になっている。
そして、ボックス本体２１における各箱枠の裏側の被係合溝２２ｂ、２３ｂ、２４ｂ、２５ｂには、裏板４０が嵌め込まれて固定される（図７参照）。
【００２６】
次に、ボックス本体２１の箱枠開口部にスライドパネル１を組み込む作業手順を説明する。以下の手順では、図６に示すボックス本体２１の天板２２を取り外した状態において、最下段のスライドパネル１Ａ〜１Ｄ（図８及び図９参照）を左側から組み付けた上で、上方の第２段、第３段、最上段に向かって積み上げる。
【００２７】
まず、底板２３上面のガイドレール３２に、第１のスライドパネル１Ａの被係合溝６ｂを臨ませて鉛直支持し、それを例えば、左側板２４の方向へ横摺動し、当該スライドパネル１Ａの係合鍔部５ｂを左側板２４の被係合溝２４ａに嵌め込む。
これにより、図２及び図９に示すように、スライドパネル１Ａのレバー突部７ｂの前方で凹んだ状態にある被係合凹部３８（図２参照）が、被係合溝２４ａから突出したロックボタン３３の頭部に隣接係合する。
【００２８】
次に、第２のスライドパネル１Ｂをガイドレール３２に臨ませ、それを第１のスライドパネル１Ａの右側位置へ横摺動し、当該第１のスライドパネル１Ａの被係合溝部６ａに第２のスライドパネル１Ｂの係合鍔部５ｂを嵌め込む。
これにより、第２のスライドパネル１Ｂの被係合凹部３８が、第１のスライドパネル１Ａから突出したピース突部１３ｂに隣接係合する。
【００２９】
次に、第３のスライドパネル１Ｃをガイドレール３２に臨ませ、それを第２のスライドパネル１Ｂの右側位置へ横摺動し、当該第２のスライドパネル１Ｂの被係合溝部６ａに第３のスライドパネル１Ｂの係合鍔部５ｂを嵌め込むと、第３のスライドパネル１Ｃの被係合凹部３８が、第２のスライドパネル１Ｂから突出したピース突部１３ｂに隣接係合する。
【００３０】
次いで、第４のスライドパネル１Ｄのスライドレバー７を左側へ移動させた状態で（図４参照）、第３のスライドパネル１Ｃと右側板２５との間の上段位置に第４のスライドパネル１Ｄを鉛直に支持し、当該第４のスライドパネル１Ｄの係合鍔部５ｂを第３のスライドパネル１Ｂの被係合溝部６ａに、また、第４のスライドパネル１Ｄの被係合溝部６ａを右側板２５のガイドレール３６に嵌め込む。
このとき、スライドレバー７を開放すると、第４のスライドパネル１Ｄにおけるピース突部１３ｂの先端がコイルスプリング１５の付勢力によってガイドレール３６に当たって図５に示す状態になる。
【００３１】
その状態で、第４のスライドパネル１Ｄを鉛直下方へ押し下げると、当該スライドパネル１Ｄの被係合凹部３８が第３のスライドパネル１Ｃのピース突部１３ｂに、また、第４のスライドパネル１Ｃのピース突部１３ｂがガイドレール３６の被係合凹部３７に嵌め込まれることで、ロック係合される。
【００３２】
このような手順により、その上方の第２段と第３段にも次々とスライドパネル１を積み上げ、下段に組み込んでなる一連のスライドパネル１の係合鍔部５ａを、ガイドレール３２と同ように機能させながら、前述と同様の手順で組み付ける。
そして、最上段に一連のスライドパネル１を嵌め込む際に、その上縁部の係合鍔部５ａを天板２１の被係合溝２１ａに嵌め込むことで、最終的に、図８及び図９に示すように、少なくとも、任意の１区画の空間部３９を残して、１５区画の棚室６１のそれぞれにスライドパネル１が嵌め込まれる。
【００３３】
次に、スライドパネル１により閉じられた適宜の棚室６１から収納物（図示せず）を取り出す場合には、図８に示すように、空間部３９の上下位置、左右位置に隣り合うスライドパネル１の挿通孔１９、２０と操作孔１８に指先（図示せず）を挿通し、両孔１８及び１９、２０が表裏重なり合うように、指先でスライドレバー７を摺動操作する。
すると、スライドレバー７とロックピース１３の出没状態が、図４に示すような状態になることにより、スライドパネル１のロック状態が解除される。
そこで、当該スライドパネル１を空間部３９に向けて摺動し、指先を引き抜くことにより、当該スライドパネル１により空間部３９を閉じ、新たな空間部３９を作り出すことにより、空間部３９の位置を自在に変更する。
再び、新たな空間部３９の上下左右位置にあるスライドパネル１に指先を挿通して摺動操作する。
これを繰り返すことにより、最終的に、適宜位置の棚室６１にあるスライドパネル１を動かすことにより、当該棚室６１内部の収容物を取り出すことができる。
【００３４】
その結果、例えば、スライドパネル１の表パネルの色合いや模様が一律でないような場合には、スライドパネル１が縦横方向に移動することにより、多種多様な色模様がランダムに形成されることになる。
逆に、スライドパネル１の色模様が、同一色で無模様であるような場合には、スライドパネル１を移動して開けて見なければ、中味の収容物が取り出せないことになり、トランプゲームにおける神経衰弱のようなゲーム興趣を作り出す。
【００３５】
尚、前記第１実施形態では、ボックス本体２１における各箱枠の裏側（背面側）の被係合溝２２ｂ、２３ｂ、２４ｂ、２５ｂには、裏板４０（図７参照）が嵌め込まれて固定されるが、第１実施形態の変形態様としては、前述した被係合溝２３ｂ、２４ｂにガイドレール３２、３６を嵌め込み、一方の被係合溝２４ｂに嵌め込むガイドレール３６に被係合凹部３７を形成してもよい。このような変形態様によれば、ボックス本体２１の正面のみならず、背面の箱枠開口部にもスライドパネル１の多数枚を正面側と同ように格子状に嵌め込むことができる。
これにより、パズルボックスの表裏両面での開閉操作上の興趣、絵模様や色模様等のデザイン上の変化を惹き起こし、或いは、ゲーム的な興趣を発揮させることになる。
【００３６】
次に、スライドパネル１を組み込む第２実施形態の収納ボックス４１を、図１０〜図１２に従って説明する。
【００３７】
ボックス本体４１は、平面正四角形の矩形枠形態にフレーム構成した上部横桁４２〜４５と、同じく平面正四角形の矩形枠形態にフレーム構成した下部横桁４６〜４９と、上下部の両横桁４２〜４５、４６〜４９の間の四隅部に鉛直に立ち上げた支柱５０〜５３により、正立方体の箱枠状態に組み立てられる。
その上、この箱枠底部には底板５４が敷設固定され、箱枠内部を上下に３等分する２枚の棚板５５、５６を水平に掛け渡すと共に、底板５４及び棚板５５、５６のの間の空間をそれぞれ前後方向に３等分するように仕切板５７、５８で間仕切り、また、左右方向に３等分するように仕切板５９、６０で間仕切りする。これによりボックス本体４１の内部に、格子状で、マス目が１又は２室程度の多数の棚室６１を区画形成し、底面を除く正面、背面、左右両側面及び上面の５面を開口形成している。
尚、説明の都合上、図１０〜図１２に示す左側位置を箱枠の正面とする。
【００３８】
次に、箱枠の正面、背面、左側面、右側面及び上面の開口部廻りの構成を図１１に基づいて説明する。
［箱枠正面の開口部廻りの構成］
正面の上部横桁４２の下面と正面の左側支柱５０の内側面には、被係合溝４２ａ、５０ａが凹設され、その内、一方の被係合溝５０ａの上下に間隔を隔てた３箇所に、図１及び図２に示すように、出没自在に付勢したロックボタン３３を嵌め込んでいる。
正面の下部横桁４６の上面と正面の右側支柱５１の内側面には、ガイドレール６２、６３が突設され、その内、一方のガイドレール６３の内側面には、上下に間隔を隔てた位置に被係合凹部６３ａを形成している。
【００３９】
［箱枠背面の開口部廻りの構成］
背面の上部横桁４３の下面と背面の右側支柱５３の内側面には、被係合溝４３ａ、５３ａが凹設され、その内、一方の被係合溝５３ａの上下に間隔を隔てた３箇所に、図１及び図２に示すように、出没自在に付勢したロックボタン３３を嵌め込んでいる。
背面の下部横桁４７の上面と背面の左側支柱５２の内側面には、ガイドレール６４、６５が突設され、その内、一方のガイドレール６５の内側面には、上下に間隔を隔てた位置に被係合凹部６５ａを形成している。
【００４０】
［箱枠左側面の開口部廻りの構成］
左側面の上部横桁４４の下面と背面の左側支柱５２の内側面には、被係合溝４４ａ、５２ａが凹設され、その内、一方の被係合溝５２ａの上下間隔を隔てた３箇所に、図１及び図２に示すように、出没自在に付勢したロックボタン３３を嵌め込んでいる。
左側面の下部横桁４８の上面と左側面の左側支柱５０の背面にはガイドレール６６、６７が突設され、その内、一方のガイドレール６７の内側面には、上下に間隔を隔てた位置に被係合凹部６７ａを形成している。
【００４１】
［箱枠右側側面の開口部廻りの構成］
右側面の上部横桁４５の下面と正面の右側支柱５１の背面には、被係合溝４５ａ、５１ａが凹設され、その内、一方の被係合溝５１ａの上下に間隔を隔てた３箇所に、図１及び図２に示すように、出没自在に付勢したロックボタン３３を嵌め込んでいる。
右側面の下部横桁４９の上面と背面の右側支柱５３の前面にはガイドレール６８、６９が突設され、その内、一方のガイドレール６９の内側面には、上下に間隔を隔てた位置に被係合凹部６９ａを形成している。
【００４２】
［箱枠上面の開口部廻りの構成］
背面の上部横桁４３の前面と左側面の上部横桁４４の内側面には、被係合溝４３ｂ、４４ｂが凹設され、その内、一方の被係合溝４４ｂの前後に間隔を隔てた３箇所には、図１と図２に示すように、出没自在に付勢したロックボタン３３を嵌め込んでいる。
正面の上部横桁４２の背面と右側面の上部横桁４５の内側面にはガイドレール７０、７１が突設され、その内、一方のガイドレール７１の内側面には、前後に間隔を隔てた位置に被係合凹部７１ａを形成している。
【００４３】
次に、第２実施形態の収納ボックス４１の使用例について説明する。
ボックス本体５１の箱枠開口部に前述のスライドパネル１を、前記第１実施形態のボックス本体２１の場合と同様な手順で、３列３段に亘って順次嵌め込むことにより、図１２に示すように、箱枠正面、背面、左右両側面及び上面の各面に少なくとも１区画（２〜３区画でも可）以上の空間部３９を残して嵌め込む。
【００４４】
スライドパネル１により閉じられた適宜の棚室６１（図１０参照）から収納物を取り出す場合には、箱枠正面、背面、左右両側面及び上面にある１区画の空間部３９の上下左右位置、前後左右位置（上面の場合）に隣り合うスライドパネル１を摺動操作し、新たな空間部３９を形成する。このように空間部３９に隣り合うスライドパネル１の摺動操作を次々と繰り返し、最終的に、適宜の棚室６１にあるスライドパネル１を開けて、当該棚室６１内部の収納物を取り出す。
【００４５】
その結果、箱枠正面、背面、左右両側面及び上面の各面に嵌め込まれたスライドパネル１の表パネル２の色合いや模様が一律でないような場合には、各面のスライドパネル１が上下左右方向、前後左右方向等の２方向に移動することにより、多種多様な色模様がランダムに形成されることになる。
逆に、スライドパネル１の色模様が、同一色で無模様であるような場合には、スライドパネル１を移動して開けて見なければ、中味の収容物が取り出せないことになり、トランプゲームにおける神経衰弱のようなゲーム興趣を作り出す。
言い換えれば、パズルボックスの各面でのスライドパネル１に対する開閉操作上の興趣、絵模様や色模様等のデザイン上の変化を惹き起こし、或いは、ゲーム的な興趣を発揮させることになる。
特に、幼児に対しては、玩具類を収納整理するパズルボックスとしての興趣を発揮する。
【００４６】
前記第２実施形態では、ボックス本体４１の箱枠正面、背面、左右両側面及び上面の５面にスライドパネル１を嵌め込んだ場合について説明したが、第２実施形態の変形形態としては、箱枠上面を矩形状の天板（図示せず）により全閉状態とすることもできる。また、箱枠背面も閉成し、箱枠正面、左右両側面の３面にスライドパネル１を嵌め込んで対処することもできる。
また、棚室６１を前後に間仕切る仕切板５７、５８（図１０参照）を撤去し、箱枠背面、左右両側面と上面の４面を矩形状の側板（図示せず）で閉成した場合には、第１実施形態の場合と同ように、箱枠正面に嵌め込まれたスライドパネル１による前記のような興趣がもたらされることになる。
さらに、第２実施形態のボックス本体４１の底板５４下面にキャスター車輪（図示せず）を取着した場合には、第２実施形態のパズルボックスに屋内外での移動性や旋回性を確保することができる。
【００４７】
【発明の効果】
以上説明したように、本発明によれば、箱枠開口部に嵌め込まれ、直交する２方向へ摺動自在としながら、下方が空間部であっても、下方への滑落を防止し、適宜の高さ位置で安定的に支持することができ、開閉操作上の興趣をもたらすスライドパネルが得られる。
また、箱枠開口部に格子状に嵌め込まれた多数枚のスライドパネルに、パズル的な要素を持たせることで、アトランダムで、不規則な表面上のデザイン変化や、遊戯興趣を発揮することのできるパズルボックスが得られる。
また、箱枠開口部に嵌め込まれたスライドパネルの表パネルの色合いや模様が一律でないような場合には、スライドパネルが上下左右方向、前後左右方向等の直交する２方向に移動することにより、多種多様な色模様をランダムに形成することができる。
また、スライドパネルの色模様が、同一色で無模様であるような場合には、スライドパネルを移動して開けて見なければ、中味の収納物が取り出せないことになり、トランプゲームにおける神経衰弱のようなゲーム興趣を作り出す。
【図面の簡単な説明】
【図１】本発明の実施形態によるスライドパネルの分解斜視図である。
【図２】本発明の実施形態によるスライドパネルの内部構造を示す一部切欠き正面図である。
【図３】図２に示すスライドパネルの中央部横断平面図である。
【図４】図２示すスライドレバーを前進操作するにより、スライドパネルのロック状態が解除されるときの位置関係を示す一部切欠き正面図である。
【図５】図２に示すスライドパネルの一方がロック状態、その他方がアンロック状態となるときの関係を示す一部切欠き正面図である。
【図６】本発明の第１実施形態によるパズルボックスのボックス本体を示す斜視図である。
【図７】本発明の第１実施形態によるパズルボックスの箱枠の各断面形態を示す斜視図である。
【図８】本発明の第１実施形態によるパズルボックスを示す斜視図である。
【図９】本発明の第１実施形態によるパズルボックスの箱枠開口部にスライドパネルを嵌め込んだ状態を示す一部切欠き断面図である。
【図１０】本発明の第２実施形態によるパズルボックスのボックス本体を示す斜視図である。
【図１１】本発明の第２実施形態によるパズルボックスの横桁、支柱等を立体配置関係を示す切り欠き斜視図である。
【図１２】本発明の第２実施形態によるパズルボックスを示す斜視図である。
【符号の説明】
１  スライドパネル
２  表パネル
３  裏パネル
４ａ、４ｂ  コアプレート
５ａ、５ｂ  係合鍔部
６ａ、６ｂ  係合溝部
７  スライドバー
７ａ  レバー本体部
７ｂ  レバー突部
８、１４  開口部
９ａ、９ｂ  連通路
１０ａ、１０ｂ、１５  コイルスプリング
１１ａ、１１ｂ、１２ａ、１２ｂ、１６、１７  穴部（切欠き凹部）
１３  ロックピース
１３ａ  ピース本体部
１３ｂ  ピース突部
１８  操作孔
１９、２０  挿通孔
２１  家具本体
２２  天板
２２ａ、２２ｂ  被係合溝
２３  底板
２３ａ、２３ｂ  被係合溝
２４、２５  側板
２４ａ、２４ｂ、２５ａ、２５ｂ  被係合溝
２６〜２８  棚板
２９〜３１  仕切板
３２、３６  ガイドレール
３３  ロックボタン
３４  コイルスプリング
３５  穴部
３７、３８  被係合凹部
３９  空間部
４０  裏板
４１  ボックス本体
４２〜４５  上部横桁
４２ａ、４３ａ、４３ｂ、４４ａ、４４ｂ、４５ａ  被係合溝
４６〜４９  下部横桁
５０〜５３  支柱
５０ａ、５１ａ、５２ａ、５２ａ  被係合溝
５４  底板
５５、５６  棚板
５７〜６０  仕切板
６１  棚室
６２〜７１  ガイドレール
６３ａ、６５ａ、６７ａ、６９ａ、７１ａ  被係合凹部
【図１】
2004329256.tif 000003
【図２】
2004329256.tif 000004
【図３】
2004329256.tif 000005
【図４】
2004329256.tif 000006
【図５】
2004329256.tif 000007
【図６】
2004329256.tif 000008
【図７】
2004329256.tif 000009
【図８】
2004329256.tif 000010
【図９】
2004329256.tif 000011
【図１０】
2004329256.tif 000012
【図１１】
2004329256.tif 000013
【図１２】
2004329256.tif 000014